(57)【要約】【課題】熱交換器に均一な流れを送風できるブロワ装置を実現する。【解決手段】熱交換器２２の左右方向において、熱交換器２２と平行に配設された回転軸１５ａを有するブロワモータ１５と吸入空気を送風するブロワ１２と第１及び第２の空気吸込み部１３ａ、１４ａ及び第１及び第２の空気吐出口１３ｂ、１４ｂを有する第１及び第２のブロワケーシング１３、１４とを備え、第１の空気吸込み部１３ａから吸入した吸入空気は、ブロワ１２により第１の空気吐出口１３ｂに向けて送風され、第２の空気吸込み部１４ａから吸入した吸入空気は、ブロワ１２により第２の空気吐出口１４ｂに向けて送風され、第１の空気吐出口１３ｂは、熱交換器２２の上下方向における上側領域に向けて吸入空気を送風し、第２の空気吐出口１４ｂは、熱交換器２２の上下方向における下側領域に向けて吸入空気を送風する。これにより、熱交換器に均一な流れを送風できる。【選択図】図１
2009234473.tif 000002
【特許請求の範囲】
【請求項１】
吸入空気を導入して、空気流れの下流側に配設された熱交換器（２２）に向けて、前記吸入空気を送風するブロワ装置において、
前記熱交換器（２２）の左右方向において、前記熱交換器（２２）と平行に配設された回転軸（１５ａ）を有するブロワモータ（１５）と、
前記回転軸（１５ａ）に固定され、吸入空気を送風するブロワ（１２）と、
第１及び第２の空気吸込み部（１３ａ、１４ａ）及び第１及び第２の空気吐出口（１３ｂ、１４ｂ）を有する第１及び第２のブロワケーシング（１３、１４）とを備え、
前記第１の空気吸込み部（１３ａ）から吸入した吸入空気は、前記ブロワ（１２）により、前記第１の空気吐出口（１３ｂ）に向けて送風され、
前記第２の空気吸込み部（１４ａ）から吸入した吸入空気は、前記ブロワ（１２）により、前記第２の空気吐出口（１４ｂ）に向けて送風され、
前記第１の空気吐出口（１３ｂ）は、前記熱交換器（２２）の上下方向における上側領域に向けて前記吸入空気を送風し、
前記第２の空気吐出口（１４ｂ）は、前記熱交換器（２２）の上下方向における下側領域に向けて前記吸入空気を送風することを特徴とするブロワ装置。
【請求項２】
前記ブロワ（１２）は、前記回転軸（１５ａ）の両端にそれぞれ固定された右側ブロワ（１２）と左側ブロワ（１２）とから構成されており、
前記ブロワケーシング（１３、１４）は、前記右側ブロワ（１２）により前記吸入空気を送風する右側の第１及び第２のブロワケーシング（１３、１４）と、前記左側ブロワ（１２）により前記吸入空気を送風する左側の第１及び第２のブロワケーシング（１３、１４）とから構成されており、
前記右側の第１のブロワケーシング（１３）は、前記熱交換器（２２）の上下方向における上側または下側領域に向けて前記吸入空気を送風し、
前記右側の第２のブロワケーシング（１４）は、前記熱交換器（２２）の上下方向における下側または上側領域に向けて前記吸入空気を送風し、
前記左側の第１のブロワケーシング（１３）は、前記熱交換器（２２）の上下方向における上側または下側領域に向けて前記吸入空気を送風し、
前記左側の第２のブロワケーシング（１４）は、前記熱交換器（２２）の上下方向における下側または上側領域に向けて前記吸入空気を送風することを特徴とする請求項１に記載のブロワ装置。
【請求項３】
吸入空気を導入して、空気流れの下流側に配設された熱交換器（２２）に向けて、前記吸入空気を送風するブロワ装置において、
前記熱交換器（２２）の上下方向において、前記熱交換器（２２）と平行に配設された回転軸（１５ａ）を有するブロワモータ（１５）と、
前記回転軸（１５ａ）に固定され、吸入空気を送風するブロワ（１２）と、
第１及び第２の空気吸込み部（１３ａ、１４ａ）及び第１及び第２の空気吐出口（１３ｂ、１４ｂ）を有する第１及び第２のブロワケーシング（１３、１４）とを備え、
前記第１の空気吸込み部（１３ａ）から吸入した吸入空気は、前記ブロワ（１２）により、前記第１の空気吐出口（１３ｂ）に向けて送風され、
前記第２の空気吸込み部（１４ａ）から吸入した吸入空気は、前記ブロワ（１２）により、前記第２の空気吐出口（１４ｂ）に向けて送風され、
前記第１の空気吐出口（１３ｂ）は、前記熱交換器（２２）の左右方向における右側領域に向けて前記吸入空気を送風し、
前記第２の空気吐出口（１４ｂ）は、前記熱交換器（２２）の左右方向における左側領域に向けて前記吸入空気を送風することを特徴とするブロワ装置。
【請求項４】
前記ブロワ（１２）は、前記回転軸（１５ａ）の両端にそれぞれ固定された上側ブロワ（１２）と下側ブロワ（１２）とから構成されており、
前記ブロワケーシング（１３、１４）は、前記上側ブロワ（１２）により前記吸入空気を送風する上側の第１及び第２のブロワケーシング（１３、１４）と、前記下側ブロワ（１２）により前記吸入空気を送風する下側の第１及び第２のブロワケーシング（１３、１４）とから構成されており、
前記上側の第１のブロワケーシング（１３）は、前記熱交換器（２２）の左右方向における右側または左側領域に向けて前記吸入空気を送風し、
前記上側の第２のブロワケーシング（１４）は、前記熱交換器（２２）の左右方向における左側または右側領域に向けて前記吸入空気を送風し、
前記下側の第１のブロワケーシング（１３）は、前記熱交換器（２２）の左右方向における右側または左側領域に向けて前記吸入空気を送風し、
前記下側の第２のブロワケーシング（１４）は、前記熱交換器（２２）の左右方向における左側または右側領域に向けて前記吸入空気を送風することを特徴とする請求項３に記載のブロワ装置。
【請求項５】
前記第１及び第２のブロワケーシング（１３、１４）は、前記回転軸（１５ａ）の軸方向において、前記第１及び第２の空気吐出口（１３ｂ、１４ｂ）が互いに反対方向に拡大されていることを特徴とする請求項１乃至請求項４のいずれか一項に記載のブロワ装置。
【請求項６】
前記ブロワ（１２）は、両側吸込みタイプの遠心多翼式ファンから構成されていることを特徴とする請求項１乃至請求項５のいずれか一項に記載のブロワ装置。
【請求項７】
前記第１及び第２のブロワケーシング（１３、１４）の第１及び第２の空気吸込み部（１３ａ、１４ａ）は、前記回転軸（１５ａ）の軸方向において、重なり合うように前記ブロワ（１２）を覆っており、
前記第１の空気吸込み部（１３ａ）は、前記ブロワ（１２）の一方の軸方向端部に形成され、前記第２の空気吸込み部（１４ａ）は、前記ブロワ（１２）の他方の軸方向端部に形成され、
前記ブロワ（１２）は、前記吸入空気を同一方向に回転させながら、前記第１及び第２のブロワケーシング（１３、１４）の第１及び第２の空気吐出口（１３ｂ、１４ｂ）に向けて、前記吸入空気を送風することを特徴とする請求項１乃至請求項６のいずれか一項に記載のブロワ装置。
【発明の詳細な説明】
【技術分野】
【０００１】
本発明は、吸入空気を導入して空気流れの下流側に配設された熱交換器に向けて送風するブロワ装置に関するものであり、特に、熱交換器を通過する送風空気の流れの均一化に関する。
【背景技術】
【０００２】
従来、この種のブロワ装置として、例えば、特許文献１に示すものが知られている。すなわち、このブロワ装置では、空調ケース内に配設された冷却用熱交換器の前方側下方にブロワを配置し、スクロール状のブロワケーシングの吐出口が冷却用熱交換器の前方側で吹き出すように配置されている。
【０００３】
このような構成のブロワ装置では、ブロワを冷却用熱交換器に接近させると、一般的に、冷却用熱交換器を通過する送風空気の流れが不均一になり易いという問題がある。そのため、流れを均一にするために、例えば、図１０に示すように、ブロワケーシング１０１の吐出口１０２にラッパ状のダクト部１０５を形成して、冷却用熱交換器１０３に接続している。
【０００４】
つまり、ブロワケーシング１０１の吐出口１０２と冷却用熱交換器１０３の前面との距離Ｌ１が大きくなるようにブロワ１０４を配置している。これによると、前後方向の体格が大きくなる。そのため、車両用空調装置では、前後方向の体格を小さくするために、図１１に示すように、冷却用熱交換器１０３に対し、ブロワ１０４を助手席側にオフセットさせて配置している。
【０００５】
つまり、冷却用熱交換器１０３の左右方向のいずれか一方側にブロワ１０４を配置し、ブロワケーシング１０１にダクト部１０５を形成して、冷却用熱交換器１０３に接続している。このような配置の場合には、冷却用熱交換器１０３に流れる送風空気の流れを均一にするために、ダクト部１０５の空気通路を複雑な形状で形成しなければならない。
【特許文献１】特開２００７−８３７７４号公報
【発明の開示】
【発明が解決しようとする課題】
【０００６】
しかしながら、図１０に示すような配置によれば、前後方向の体格が大きくなるという問題がある。また、図１１に示すような配置によれば、左右方向の体格が大きくなるという問題がある。
【０００７】
そこで、本発明の第１の目的は、熱交換器に均一な流れを送風できるブロワ装置を提供することにある。また、第２の目的は、送風機の小型化が図れるブロワ装置を提供することにある。
【課題を解決するための手段】
【０００８】
上記目的を達成するために、以下の技術的手段を採用する。すなわち、請求項１に記載の発明では、吸入空気を導入して、空気流れの下流側に配設された熱交換器（２２）に向けて、吸入空気を送風するブロワ装置において、
熱交換器（２２）の左右方向において、熱交換器（２２）と平行に配設された回転軸（１５ａ）を有するブロワモータ（１５）と、回転軸（１５ａ）に固定され、吸入空気を送風するブロワ（１２）と、第１及び第２の空気吸込み部（１３ａ、１４ａ）及び第１及び第２の空気吐出口（１３ｂ、１４ｂ）を有する第１及び第２のブロワケーシング（１３、１４）とを備え、
第１の空気吸込み部（１３ａ）から吸入した吸入空気は、ブロワ（１２）により、第１の空気吐出口（１３ｂ）に向けて送風され、第２の空気吸込み部（１４ａ）から吸入した吸入空気は、ブロワ（１２）により、第２の空気吐出口（１４ｂ）に向けて送風され、
第１の空気吐出口（１３ｂ）は、熱交換器（２２）の上下方向における上側領域に向けて吸入空気を送風し、第２の空気吐出口（１４ｂ）は、熱交換器（２２）の上下方向における下側領域に向けて吸入空気を送風することを特徴としている。
【０００９】
この発明によれば、ブロワ（１２）と熱交換器（２２）との距離を過大に離すことはなく、ブロワ（１２）から熱交換器（２２）に向けて、均一な流れの送風空気を流入させることができる。更に、ブロワ（１２）を熱交換器（２２）に接近させることができるため、送風機の小型化が図れる。
【００１０】
請求項２に記載の発明では、ブロワ（１２）は、回転軸（１５ａ）の両端にそれぞれ固定された右側ブロワ（１２）と左側ブロワ（１２）とから構成されており、ブロワケーシング（１３、１４）は、右側ブロワ（１２）により吸入空気を送風する右側の第１及び第２のブロワケーシング（１３、１４）と、左側ブロワ（１２）により吸入空気を送風する左側の第１及び第２のブロワケーシング（１３、１４）とから構成されており、右側の第１のブロワケーシング（１３）は、熱交換器（２２）の上下方向における上側または下側領域に向けて吸入空気を送風し、右側の第２のブロワケーシング（１４）は、熱交換器（２２）の上下方向における下側または上側領域に向けて吸入空気を送風し、左側の第１のブロワケーシング（１３）は、熱交換器（２２）の上下方向における上側または下側領域に向けて吸入空気を送風し、左側の第２のブロワケーシング（１４）は、熱交換器（２２）の上下方向における下側または上側領域に向けて吸入空気を送風することを特徴としている。
【００１１】
この発明によれば、ブロワ（１２）と熱交換器（２２）との前後方向の体格を小さくすることができるため、均一な流れの送風空気を流入させることができるとともに、送風機の小型化が図れる。
【００１２】
請求項３に記載の発明では、吸入空気を導入して、空気流れの下流側に配設された熱交換器（２２）に向けて、吸入空気を送風するブロワ装置において、
熱交換器（２２）の上下方向において、熱交換器（２２）と平行に配設された回転軸（１５ａ）を有するブロワモータ（１５）と、回転軸（１５ａ）に固定され、吸入空気を送風するブロワ（１２）と、第１及び第２の空気吸込み部（１３ａ、１４ａ）及び第１及び第２の空気吐出口（１３ｂ、１４ｂ）を有する第１及び第２のブロワケーシング（１３、１４）とを備え、
第１の空気吸込み部（１３ａ）から吸入した吸入空気は、ブロワ（１２）により、第１の空気吐出口（１３ｂ）に向けて送風され、第２の空気吸込み部（１４ａ）から吸入した吸入空気は、ブロワ（１２）により、第２の空気吐出口（１４ｂ）に向けて送風され、
第１の空気吐出口（１３ｂ）は、熱交換器（２２）の左右方向における右側領域に向けて吸入空気を送風し、第２の空気吐出口（１４ｂ）は、熱交換器（２２）の左右方向における左側領域に向けて吸入空気を送風することを特徴としている。
【００１３】
この発明によれば、ブロワ（１２）と熱交換器（２２）との距離を過大に離すことはなく、ブロワ（１２）から熱交換器（２２）に向けて、均一な流れの送風空気を流入させることができる。更に、ブロワ（１２）を熱交換器（２２）に接近させることができるため、送風機の小型化が図れる。
【００１４】
請求項４に記載の発明では、ブロワ（１２）は、回転軸（１５ａ）の両端にそれぞれ固定された上側ブロワ（１２）と下側ブロワ（１２）とから構成されており、
ブロワケーシング（１３、１４）は、上側ブロワ（１２）により吸入空気を送風する上側の第１及び第２のブロワケーシング（１３、１４）と、下側ブロワ（１２）により吸入空気を送風する下側の第１及び第２のブロワケーシング（１３、１４）とから構成されており、上側の第１のブロワケーシング（１３）は、熱交換器（２２）の左右方向における右側または左側領域に向けて吸入空気を送風し、上側の第２のブロワケーシング（１４）は、熱交換器（２２）の左右方向における左側または右側領域に向けて吸入空気を送風し、下側の第１のブロワケーシング（１３）は、熱交換器（２２）の左右方向における右側または左側領域に向けて吸入空気を送風し、下側の第２のブロワケーシング（１４）は、熱交換器（２２）の左右方向における左側または右側領域に向けて吸入空気を送風することを特徴としている。
【００１５】
この発明によれば、ブロワ（１２）と熱交換器（２２）との左右方向の体格を小さくすることができるため、均一な流れの送風空気を流入させることができるとともに、送風機の小型化が図れる。
【００１６】
請求項５に記載の発明では、第１及び第２のブロワケーシング（１３、１４）は、回転軸（１５ａ）の軸方向において、第１及び第２の空気吐出口（１３ｂ、１４ｂ）が互いに反対方向に拡大されていることを特徴としている。
【００１７】
この発明によれば、ブロワ（１２）と熱交換器（２２）との距離を小さくすることができる。これにより、均一な流れの送風空気を流入させることができるとともに、送風機の小型化が図れる。
【００１８】
請求項６に記載の発明では、ブロワ（１２）は、両側吸込みタイプの遠心多翼式ファンから構成されていることを特徴としている。この発明によれば、ブロワ（１２）と熱交換器（２２）との距離を小さくすることができる。
【００１９】
請求項７に記載の発明では、第１及び第２のブロワケーシング（１３、１４）の第１及び第２の空気吸込み部（１３ａ、１４ａ）は、回転軸（１５ａ）の軸方向において、重なり合うようにブロワ（１２）を覆っており、第１の空気吸込み部（１３ａ）は、ブロワ（１２）の一方の軸方向端部に形成され、第２の空気吸込み部（１４ａ）は、ブロワ（１２）の他方の軸方向端部に形成され、ブロワ（１２）は、吸入空気を同一方向に回転させながら、第１及び第２のブロワケーシング（１３、１４）の第１及び第２の空気吐出口（１３ｂ、１４ｂ）に向けて、吸入空気を送風することを特徴としている。この発明によれば、隣接配置される第１及び第２のブロワケーシング（１３、１４）を一体的に形成することが容易にできる。これにより、送風機の小型化が図れる。
【００２０】
なお、上記各手段の括弧内の符号は、後述する実施形態の具体的手段との対応関係を示すものである。
【発明を実施するための最良の形態】
【００２１】
（第１実施形態）
以下、本発明の第１実施形態におけるブロワ装置を、車両用空調装置に適用した一実施例として、図１乃至図５に基づいて説明する。図１は、本実施形態におけるブロワ装置の全体構成を示す構成図である。図２は、図１に示すＩＩ矢視図である。図３は、図２に示すＩＩＩ−ＩＩＩ断面図である。図４は、図２に示すＩＶ−ＩＶ断面図である。図５は、ブロワ装置の全体形状を示す矢視図である。
【００２２】
図１に示す上下前後の矢印は、車両搭載状態における方向を示す。従って、「前後方向」とは、空調ユニット１０を車両に搭載した際の車両の進行方向であり、「左右方向」とは、空調ユニット１０を車両に搭載した際の左右方向（車両幅方向）のことであり、「上下方向」とは、空調ユニット１０を車両に搭載した際の天地方向のことである。
【００２３】
本実施形態の空調ユニット１０は、車室内の計器盤（インストルメントパネル）内部に搭載されている。空調ユニット１０は、図１に示すように、大別して、送風機ユニット１１と空調ケース２０との２つの部分から構成されている。
【００２４】
空気通路を形成する空調ケース２０は、ポリプロプレンのような、ある程度弾性を有し、強度的にも優れた樹脂の成形品からなり、分割された複数のケースからなる。分割されたケースは、後述する熱交換器２２及び図示しない風量調節用切替ドア、吹出口切替ドアなどの部品を収納した後に、金属バネクリップや螺子等の締結手段によって一体に結合されて空調ケース２０を構成する。
【００２５】
空調ケース２０の上流端側には、冷凍サイクルからなる熱交換器２２が配設されている。冷凍サイクルは、図示しない圧縮機、凝縮器、受液器、膨張弁および熱交換器２２よりなる。そして、図示しない電磁クラッチをＯＮすることにより、圧縮機が駆動されて冷凍サイクル内を冷媒が循環する。送風機ユニット１１から送風される送風空気を、流入する冷媒と熱交換して冷却する冷却用熱交換器である。
【００２６】
熱交換器２２の空気流れの下流側には、図示しないヒータコアが設けられている。このヒータコアは、熱交換器２２を通過した空気をエンジンの冷却水と熱交換して加熱する加熱用熱交換器である。
【００２７】
送風機ユニット１１の空気流れの上流側には、図示しない車室内空気（内気）を導入する内気導入口と、車室外空気（外気）を導入する外気導入口とが形成されるとともに、内外気モードに応じて内気導入口と外気導入口とを選択的に開閉する内外気切替ドア（図示せず）が設けられている。
【００２８】
送風機ユニット１１は、空調ケース２０の一端側に配設され、内気もしくは外気の吸入空気を吸入して、空気流れの下流側に配設した熱交換器２２に向けて送風する送風機である。即ち空調ケース２０の一端側から車室内へと向かう空気流を発生させる送風機である。本実施形態の送風機ユニット１１は、熱交換器２２の前方側において、ブロワ１２の軸線、即ちブロワモータ１５の回転軸１２ａが熱交換器２２の左右方向に沿って平行となるように配置されている。
【００２９】
送風機ユニット１１は、図２及び図５に示すように、二つのブロワ１２、複数（本例では、２個）の第１及び第２のブロワケーシング１３、１４、ブロワモータ１５から構成されている。ブロワモータ１５は、両軸タイプであって、両軸の回転軸１５ａにブロワ１２が配設されている。ブロワモータ１５は、図示しないブロワモータ駆動回路によって制御される。ブロワモータ１５は、熱交換器２２の左右方向に対し、略中央部分に配置されている。
【００３０】
ブロワ１２は、両側吸込みタイプの遠心多翼式のファンであって、隣接配置された第１及び第２のブロワケーシング１３、１４内に配置されている。本実施形態の第１及び第２のブロワケーシング１３、１４は、一つのブロワ１２に対し、ブロワ１２の軸方向に隣接配置されている。従って、隣接配置された第１及び第２のブロワケーシング１３、１４が、ブロワモータ１５の両軸側に設けられている。
【００３１】
それぞれの第１及び第２のブロワケーシング１３、１４は、ブロワ１２の軸方向に対し、巻き方向が同一方向に形成され、かつ第１及び第２の空気吐出口１３ｂ、１４ｂが異なる位置に設けられている。隣接配置された第１及び第２のブロワケーシング１３、１４は、高さ方向（上下方向）の上方側に第１の空気吐出口１３ｂが設けられた第１のブロワケーシング１３と、高さ方向（上下方向）の下方側に第２の空気吐出口１４ｂが設けられた第２のブロワケーシング１４とから構成されている。
【００３２】
第１及び第２のブロワケーシング１３、１４は、ブロワ１２から吐出される放射状の流れを整流して、一つの方向にまとめるとともに、多翼式のファンで得られた動圧を効率よく静圧に変換するものである。そのため、本実施形態の複数（本例では、２個）の第１及び第２のブロワケーシング１３、１４は、それぞれの第１及び第２の空気吐出口１３ｂ、１４ｂが、熱交換器２２に対して、異なる位置に吹き出すように形成されている。
【００３３】
より具体的には、図２及び図５に示すように、ブロワモータ１５の一方（右方）側に第１のブロワケーシング１３が配置され、その第１のブロワケーシング１３の外側（左右方向）に第２のブロワケーシング１４が配置されている。ブロワモータ１５の他方（左方）側に第１のブロワケーシング１３が配置され、その第１のブロワケーシング１３の外側（左右方向）に第２のブロワケーシング１４が配置されている。
【００３４】
第１のブロワケーシング１３は、第１の空気吐出口１３ｂが熱交換器２２の高さ方向（上下方向）に対し、中央部分から上方部分、即ち上側領域に向けて送風空気を吹き出すように形成されている。そして、ブロワモータ１５の一方（右方）側に配置される第１のブロワケーシング１３は、第１の空気吐出口１３ｂが熱交換器２２の左右方向に対し、中央部分から右方部分、即ち右側領域に向けて送風空気を吹き出すように配置されている。
【００３５】
また、ブロワモータ１５の他方（左方）側に配置される第１のブロワケーシング１３は、吐出口１３ｂが熱交換器２２の左右方向に対し、中央部分から左方部分、即ち左側領域に向けて送風空気を吹き出すように配置されている。
【００３６】
もう一方の第２のブロワケーシング１４は、第２の空気吐出口１４ｂが熱交換器２２の高さ方向（上下方向）に対し、中央部分から下方部分、即ち下側領域に向けて送風空気を吹き出すように形成されている。そして、ブロワモータ１５の一方（右方）側に配置される第２のブロワケーシング１４は、第２の空気吐出口１４ｂが熱交換器２２の左右方向に対し、中央部分から右方部分、即ち右側領域に向けて送風空気を吹き出すように配置されている。
【００３７】
また、ブロワモータ１５の他方（左方）側に配置される第２のブロワケーシング１４は、第２の空気吐出口１４ｂが熱交換器２２の左右方向に対し、中央部分から左方部分、即ち左側領域に向けて送風空気を吹き出すように配置されている。
【００３８】
ところで、ブロワ１２の軸方向に隣接配置された第１及び第２のブロワケーシング１３、１４は、一体的に形成されている。図１及び図２中に示す符号１３ａは、ブロワ１２の一方の吸込み部に対応する位置に設けられた第１の空気吸込み部であり、符号１４ａは、ブロワ１２の他方の吸込み部に対応する位置に設けられた第２の空気吸込み部である。
【００３９】
つまり、第１及び第２のブロワケーシング１３、１４には、互いに対向する側面に第１及び第２の空気吸込み部１３ａ、１４ｂが独立して設けられている。第１の空気吸込み部１３ａは、ブロワ１２の一方の軸方向端部に形成され、第２の空気吸込み部１４ａは、ブロワ１２の他方の軸方向端部に形成されている。
【００４０】
第１及び第２の空気吸込み部１３ａ、１４ａは、ブロワモータ１５の回転軸１５ａの軸方向において、重なり合うように、ブロワ１２を覆っている。このような構成によれば、第１及び第２のブロワケーシング１３、１４を容易に一体的に形成することができる。
【００４１】
また、図２中に示す符号１４ｄは、仕切り部材である。この仕切り部材１４ｄは、ブロワ１２で吐出される送風空気を区画する仕切り板である。第１のブロワケーシング１３と第２のブロワケーシング１４との隣接される側板に設けられている。
【００４２】
これにより、第１の空気吸込み部１３ａから吸込まれた吸入空気は、第１の空気吐出口１３ｂから吹き出され、第２の空気吸込み部１４ａから吸込まれた吸入空気は、第２の空気吐出口１４ｂから吹き出される。
【００４３】
次に、第１及び第２のブロワケーシング１３に設けられる第１及び第２の空気吐出口１３ｂ、１４ｂの形状について図３及び図４に基づいて説明する。図３は、第１のブロワケーシング１３内の空気の流れを示したものであり、図４は、第２のブロワケーシング１４内の空気の流れを示したものである。
【００４４】
第１のブロワケーシング１３は、図３に示すように、第１の空気吐出口１３ｂの下流端が熱交換器２２の高さ方向（上下方向）に対し、前述したように、２分割（Ｈ＝Ｈ）された上方部分を繋ぐように形成されている。言い換えると、第１の空気吐出口１３ｂをブロワ１２の最上端から熱交換器２２の前面に近づくにつれて徐々に空気通路が拡大するように形成している。
【００４５】
つまり、略ラッパ状に形成している。これにより、第１の空気吸込み部１３ａから導入された吸込み空気を、２分割（Ｈ＝Ｈ）された上方部分、即ち上側領域に吹き出すことができる。
【００４６】
第２のブロワケーシング１４は、図４に示すように、第２の空気吐出口１４ｂの下流端が熱交換器２２の高さ方向（上下方向）に対し、２分割（Ｈ＝Ｈ）された中央部分から下方部分を繋ぐように形成されている。言い換えると、第２の空気吐出口１４ｂをブロワ１２の最上端から熱交換器２２の前面に近づくにつれて徐々に空気通路が拡大するように形成している。
【００４７】
つまり、略ラッパ状に形成している。これにより、第２の空気吸込み部１４ａから導入された吸込み空気を、２分割（Ｈ＝Ｈ）された下方部分、即ち下側領域に吹き出すことができる。
【００４８】
更に、第１のブロワケーシング１３の第１の空気吐出口１３ｂは、図２及び図５に示すように、第１の空気吐出口１３ｂの下流端に向かうに従って、第１の空気吸込み部１３ａとは、反対側の側面が、ブロワ１２の軸方向に拡大するように形成されている。つまり、第１の空気吐出口１３ｂの左右方向の開口においても、熱交換器２２の前面に近づくにつれて徐々に空気通路が拡大するように形成している。
【００４９】
また、第２のブロワケーシング１４の第２の空気吐出口１４ｂにおいても、同じように、左右方向の開口が熱交換器２２の前面に近づくにつれて徐々に空気通路が拡大するように形成している。例えば、図２における図中右側の第１のブロワケーシング１３では、その第１の空気吐出口１３ｂの下流側端部が図中右側方向に延びており、一方その第２のブロワケーシング１４では、その第２の空気吐出口１４ｂの下流側端部が図中左側方向に延びている。
【００５０】
言い換えると、隣接配置される第１及び第２のブロワケーシング１３、１４の第１及び第２の空気吐出口１３ｂ、１４ｂは、ブロワ１２の軸方向において、互いに反対方向に沿って拡大されるように形成されている。これにより、ブロワ１２と熱交換器２２との距離を小さくすることができる。
【００５１】
次に、以上のような構成による送風機ユニット１１の作動について説明する。ブロワモータ１５を駆動させてブロワ１２が回転することにより、第１及び第２のブロワケーシング１３、１４の第１及び第２の空気吐出口１３ｂ、１４ｂから熱交換器２２に向けて送風空気が吹き出される。
【００５２】
ここで、それぞれの第１及び第２の空気吐出口１３ｂ、１４ｂは、熱交換器２２の前面面積に対し、ほぼ４分割された位置の一つ、即ち中央部分から上方（左方）もしくは下方（右方）に向けて吹き出すように配設されているため、ブロワ１２と熱交換器２２との距離を小さくすることができる。これにより、均一な流れの送風空気を熱交換器２２に流入させることができる。
【００５３】
言い換えると、ブロワ１２と熱交換器２２との距離を過大に離すことはなく、ブロワ１２から熱交換器２２に向けて、均一な流れの送風空気を流入させることができる。また、ブロワ１２を熱交換器２２に接近させることができるため、前後方向の体格を小さくすることができるとともに、送風機の小型化が図れる。
【００５４】
（第２実施形態）
以上の第１実施形態では、第１のブロワケーシング１３の第１の空気吐出口１３ｂを、熱交換器２２の高さ方向（上下方向）に対し、中央部分から上方部分、即ち上側領域に向けて送風空気を吹き出すように形成したが、熱交換器２２の高さ方向（上下方向）に対し、中央部分から下方部分、即ち下側領域に向けて送風空気を吹き出すように形成しても良い。
【００５５】
この場合には、第２のブロワケーシング１４の第２の空気吐出口１４ｂが、熱交換器２２の高さ方向（上下方向）に対し、中央部分から上方部分、即ち上側領域に向けて送風空気を吹き出すように形成することになる。
【００５６】
図６は、本実施形態におけるブロワ装置の全体構成を示す構成図である。図７は、図６に示すＶＩＩ矢視図である。
【００５７】
より具体的には、図６及び図７に示すように、第１のブロワケーシング１３は、第１の空気吐出口１３ｂが熱交換器２２の高さ方向（上下方向）に対し、中央部分から下方部分、即ち下側領域に向けて送風空気を吹き出すように形成されている。そして、ブロワモータ１５の一方（右方）側に配置される第１のブロワケーシング１３は、第１の空気吐出口１３ｂが熱交換器２２の左右方向に対し、中央部分から右方部分、即ち右側領域に向けて送風空気を吹き出すように配置されている。
【００５８】
また、ブロワモータ１５の他方（左方）側に配置される第１のブロワケーシング１３は、吐出口１３ｂが熱交換器２２の左右方向に対し、中央部分から左方部分、即ち左側領域に向けて送風空気を吹き出すように配置されている。
【００５９】
もう一方の第２のブロワケーシング１４は、第２の空気吐出口１４ｂが熱交換器２２の高さ方向（上下方向）に対し、中央部分から上方部分、即ち上側領域に向けて送風空気を吹き出すように形成されている。そして、ブロワモータ１５の一方（右方）側に配置される第２のブロワケーシング１４は、第２の空気吐出口１４ｂが熱交換器２２の左右方向に対し、中央部分から右方部分、即ち右側領域に向けて送風空気を吹き出すように配置されている。
【００６０】
また、ブロワモータ１５の他方（左方）側に配置される第２のブロワケーシング１４は、第２の空気吐出口１４ｂが熱交換器２２の左右方向に対し、中央部分から左方部分、即ち左側領域に向けて送風空気を吹き出すように配置されている。
【００６１】
以上のような構成によれば、第１実施形態と同じように、それぞれの第１及び第２の空気吐出口１３ｂ、１４ｂは、熱交換器２２の前面面積に対し、ほぼ４分割された位置の一つ、即ち中央部分から上方（左方）もしくは下方（右方）に向けて吹き出すように配設されているため、ブロワ１２と熱交換器２２との距離を小さくすることができる。これにより、均一な流れの送風空気を熱交換器２２に流入させることができる。
【００６２】
（第３実施形態）
以上の第１及び第２実施形態では、熱交換器２２の前方側において、ブロワ１２の軸線、即ちブロワモータ１５の回転軸１２ａを、熱交換器２２の左右方向に沿って平行となるように配置させたが、熱交換器２２に対し、送風機ユニット１１を左右方向にオフセット配置させてもよい。図８は、本実施形態におけるブロワと熱交換器との配置関係を示す模式図である。
【００６３】
本実施形態では、図８に示すように、熱交換器２２の左右方向における側方側にブロワ１２を配置させるとともに、ブロワ１２の軸線を、熱交換器２２の高さ方向（上下方向）に沿って平行となるように配置されている。即ち、ブロワモータ１５の回転軸１２ａが熱交換器２２の上下方向に配置されている。
【００６４】
そして、隣接配置される第１及び第２のブロワケーシング１３、１４は、熱交換器２２の左右方向に対し、中央部分から右方部分（右側領域）もしくは左方部分（左側領域）に向けて送風空気を吹き出すように形成されている。
【００６５】
第１のブロワケーシング１３は、第１の空気吐出口１３ｂが、熱交換器２２の左右方向に対し、２分割（Ｌ＝Ｌ）された中央部分から右方部分、即ち右側領域に向けて送風空気を吹き出すように形成されている。一方の第２のブロワケーシング１４は、第２の空気吐出口１４ｂが、熱交換器２２の左右方向に対し、２分割（Ｌ＝Ｌ）された中央部分から右方部分、即ち右側領域に向けて送風空気を吹き出すように形成されている。
【００６６】
本実施形態では、ブロワモータ１５の両端側、即ち上下方向の一方側と他方側に第１及び第２のブロワケーシング１３、１４がそれぞれ配置されている。より具体的には、ブロワモータ１５の一方（下方）側に配置される第１のブロワケーシング１３は、第１の空気吐出口１３ｂが熱交換器２２の高さ方向（上下方向）に対し、中央部分から下方部分、即ち下側右側領域に向けて送風空気を吹き出すように配置されている。
【００６７】
そして、ブロワモータ１５の他方（上方）側に配置される第１のブロワケーシング１３は、第１の空気吐出口１３ｂが熱交換器２２の高さ方向（上下方向）に対し、中央部分から上方部分、即ち上側右側領域に向けて送風空気を吹き出すように形成されている。
【００６８】
同じように、ブロワモータ１５の一方（下方）側に配置される第２のブロワケーシング１４は、第２の吐出口１４ｂが熱交換器２２の高さ方向（上下方向）に対し、中央部分から下方部分、即ち下側左側領域に向けて送風空気を吹き出すように配置されている。
【００６９】
そして、ブロワモータ１５の他方（上方）側に配置される第２のブロワケーシング１４は、第２の空気吐出口１４ｂが熱交換器２２の高さ方向（上下方向）に対し、中央部分から上方部分、即ち上側左側領域に向けて送風空気を吹き出すように配置されている。
【００７０】
更に、第１及び第２のブロワケーシング１３、１４の第１及び第２の空気吐出口１３ｂ、１４ｂの高さ方向（上下方向）の開口は、第１実施形態と同じように、ブロワ１２の軸方向において、互いに反対方向に沿って拡大されるように形成されている。
【００７１】
以上のような構成によれば、第１及び第２実施形態と同じように、ブロワ１２と熱交換器２２との距離を過大に離すことはなく、ブロワ１２から熱交換器２２に向けて、均一な流れの送風空気を流入させることができる。また、ブロワ１２を熱交換器２２に接近させることができるため、左右方向の体格を小さくすることができるとともに、送風機の小型化が図れる。
【００７２】
（第４実施形態）
以上の実施形態では、隣接配置される第１及び第２のブロワケーシング１３、１４を、巻き方向が互いに同一方向に形成したが、巻き方向が互いに逆方向に形成しても良い。図９は、本実施形態におけるブロワと熱交換器との配置関係を示す模式図である。
【００７３】
本実施形態の第１及び第２のブロワケーシング１３、１４は、図９に示すように、ブロワ１２の回転方向に対し、互いにスクロールの巻き方向が逆方向に形成され、かつ第１及び第２の空気吐出口１３ｂ、１４ｂが異なる位置に設けられている。隣接配置された第１及び第２のブロワケーシング１３、１４は、高さ方向（上下方向）の上方側に第１の空気吐出口１３ｂが設けられた第１のブロワケーシング１３と、高さ方向（上下方向）の下方側に第２の空気吐出口１４ｂが設けられた第２のブロワケーシング１４とから構成されている。
【００７４】
第１のブロワケーシング１３と第２のブロワケーシング１４とは、スクロールの巻き方向が逆方向になっている。但し、この場合には、第１及び第２のブロワケーシング１３、１４内に配設されるブロワ１２の回転方向が互いに異なるため、それぞれの第１及び第２のブロワケーシング１３、１４に適用されるブロワ１２と、そのブロワ１２を回転させるためのブロワモータ１５とを別体で配置させることが必要となる。つまり、隣接配置される第１及び第２のブロワケーシング１３、１４内には、回転方向が異なる片側吸込みタイプのブロワ１２を配設する必要がある。
【００７５】
（他の実施形態）
以上の第１及び第２実施形態では、両軸用のブロワモータ１５に、ブロワ１２を二つ配設したが、ブロワ１２が一つもしくは２つ以上の複数個であっても良い。また、ブロワ１２の空気流れの下流側に配設する熱交換器２２を、冷凍サイクル用の冷却用熱交換器で説明したが、冷却用熱交換器に限るものではない。
【図面の簡単な説明】
【００７６】
【図１】第１実施形態におけるブロワ装置の全体構成を示す構成図である。
【図２】図１に示すＩＩ矢視図である。
【図３】図２に示すＩＩＩ−ＩＩＩ断面図である。
【図４】図２に示すＩＶ−ＩＶ断面図である。
【図５】第１実施形態におけるブロワ装置の全体形状を示す矢視図である。
【図６】第２実施形態におけるブロワ装置の全体構成を示す構成図である。
【図７】図６に示すＶＩＩ矢視図である。
【図８】第３実施形態におけるブロワと熱交換器との配置関係を示す模式図である。
【図９】第４実施形態におけるブロワと熱交換器との配置関係を示す模式図である。
【図１０】従来技術におけるブロワと熱交換器との配置関係を示す模式図である。
【図１１】従来技術におけるブロワと熱交換器との配置関係を示す模式図である。
【符号の説明】
【００７７】
１２…ブロワ、左側のブロワ、右側のブロワ、上側のブロワ、下側のブロワ
１３…第１のブロワケーシング、ブロワケーシング
１３ａ…第１の空気吸込み部
１３ｂ…第１の空気吐出口
１４…第１のブロワケーシング、ブロワケーシング
１４ａ…第２の空気吸込み部
１４ｂ…第２の吐出口
１５…ブロワモータ
１５ａ…回転軸
２２…熱交換器
【図１】
2009234473.tif 000003
【図２】
2009234473.tif 000004
【図３】
2009234473.tif 000005
【図４】
2009234473.tif 000006
【図５】
2009234473.tif 000007
【図６】
2009234473.tif 000008
【図７】
2009234473.tif 000009
【図８】
2009234473.tif 000010
【図９】
2009234473.tif 000011
【図１０】
2009234473.tif 000012
【図１１】
2009234473.tif 000013